(57)【要約】【課題】  本発明はＣＦカード用コネクタに関し、ピン状端子部の保護を図ることを目的とする。【解決手段】  本体組立体１１０とカバー組立体１６０とが組み合わされている構成である。本体組立体１１０は、フレーム部材１２０に、多数の端子部材１３０が固定され、更に、シャッタ部材１４０、ロック部材１５０Ｒ、１５０Ｌが組み付けられた構成である。シャッタ部材１４０はピン状端子部１３０ａを保護する。カバー組立体１６０は、カバー部材１６１に、カードイジェクト機構１７０が取り付けてある構成である。シャッタ部材１４０は背面側に凹部１４０ ｇを有し、イジェクトレバー１７２の押し部１７２ａが凹部１４０ｇに嵌合してシャッタ部材１４０をＣＦカードを押し出す方向に押す。【選択図】  図３
2005285687.tif 000002
【特許請求の範囲】
【請求項１】
挿入方向の先端にコネクタ部を有するカードが挿入されるカード挿入口と、
奥部に横方向に並んでおり、一端側に、カード挿入口側に突き出して配列してあり、挿入されたカードのコネクタ部が接続される多数のピン状の端子部を有し、他端側に、実装用の端子部を有する多数の端子部材と、
両側に、挿入される上記カードの左右側を案内する一対のガイドレールと、
装着されているカードを取り出す際に操作されるイジェクト操作レバーと、
押し部を有し、該イジェクト操作レバーが操作されたときに回動されて、該押し部がカードを押し出すイジェクトレバーとを有する構成のカード用コネクタにおいて、
上記ピン状端子部を覆う第1の位置と、第1の位置より奥方の位置であり、ピン状端子部が露出した第２の位置との間で、カードが挿入される方向に移動可能に設けてあり、通常は第1の位置にあって、挿入されるカードによって押されて第２の位置へ移動されるシャッタ部材と、
上記第２の位置へ移動された該シャッタ部材を上記第1の位置へ押し戻すばね部材と、
各ガイドレールに組み込んであり、該シャッタ部材を上記第1の位置にロックしており、カードが正常に挿入された場合に、該挿入されたカードによって、ロックが解除されるシャッタ部材ロック機構とを有し、
上記イジェクト操作レバーの操作に応じて回動される上記イジェクトレバーの上記押し部が、上記シャッタ部材のうち挿入されるカードによって押される面とは反対側の面を上記カード挿入口の方向に押す構成としたことを特徴とするカード用コネクタ。
【請求項２】
請求項１のカード用コネクタにおいて、
上記シャッタ部材は、挿入されるカードによって押される面とは反対側の面に、上記イジェクトレバーの押し部が嵌合する凹部を有する構成としたことを特徴とするカード用コネクタ。
【請求項３】
請求項２のカード用コネクタにおいて、
上記シャッタ部材は、平面形状が同じであって左右側の部分を除いた上面が突き出て厚みが相違する種類の異なるカードのうち、厚さが最大であるカードに対応した形状を有し、
上記凹部は、上記シャッタ部材のうち最も高い位置に位置する上面から下方に向かって形成してある構成としたことを特徴とするカード用コネクタ。
【請求項４】
請求項１のカード用コネクタにおいて、
上記カード用コネクタは、上記多数の端子部材の実装用の端子部の両側の部分にスペースを有しており、
上記シャッタ部材は、後方向に延在しており、カード用コネクタの構成するフレーム部材に嵌合している腕部を有し、
上記シャッタ部材が上記第２の位置へ移動したときに、上記腕部が上記スペース内に突き出す構成としたことを特徴とするカード用コネクタ。
【発明の詳細な説明】
【技術分野】
【０００１】
本発明はカード用コネクタに係り、特に、カードイジェクト機構を備えており、且つタイプＩ及びタイプIIのコンパクトフラッシュ（登録商標）カードが使用可能であるカード用コネクタに関する。
【０００２】
コンパクトフラッシュ（登録商標）カード（以下ＣＦカードという）は先行しているＰＣ−ＡＴＡフラッシュカードの小型版であり、ディジタルカメラ、電子手帳等の小型の電子機器におけるデータの記憶のために使用される。ＣＦカードには、当初のタイプであるタイプＩの他に、記憶容量の大きいタイプIIがある（図３参照）。タイプＩのＣＦカード５０−ＩとタイプIIのＣＦカード５０−IIとは、前面の端子の配置は同じであり、且つ、平面形状も同じであり、中央部分の厚さが相違する。即ち、タイプIIのＣＦカード５０−IIはタイプＩのＣＦカード５０−Ｉの上面のうち左右側を除いた部分に厚さが２ｍｍの平坦状の盛り上がり部５０ａを有する形状であり、タイプＩのＣＦカード５０−Ｉは厚さが３ｍｍであるのに対してタイプIIのＣＦカード５０−IIは左右側を除いた部分の厚さが５ｍｍである。
【０００３】
ＣＦカードが挿入されて接続されるＣＦカード用コネクタは、カードイジェクト機構を備えた構成であって、プリント基板上に実装されて使用され、電子機器のＣＦカード挿入スロットの場所に設けてある。
【背景技術】
【０００４】
図１及び図２（Ａ）乃至（Ｃ）は従来のＣＦカード用コネクタ１０を示す。図１において、図示の便宜上、カードホルダ部３０は裏返しの姿勢で示してある。図２（Ａ）は、図示の便宜上、カードホルダ部３０の一部を省略して示す。図２（Ｂ）は、図２（Ａ）中、Ｂ−Ｂ線に沿う断面を示す。図２（Ｃ）はカードイジェクト操作をしたときの状態を示す。Ｘ１，Ｘ２は左右方向、Ｙ１，Ｙ２は奥行き方向、Ｚ１、Ｚ２は高さ方向である。なお、Ｙ１はカード挿入方向、Ｙ２はカード押し出し方向（カードイジェクト方向）である。
【０００５】
従来のＣＦカード用コネクタ１０は、プラグ本体部２０と、カードホルダ部３０とを有し、プラグ本体部２０がカードホルダ部３０に組み付けられている構成である。カードホルダ部３０にカードイジェクト機構４０が設けてある。
【０００６】
プラグ本体部２０は、合成樹脂モールドフレーム部材２１に多数の端子部材２２がＸ１−Ｘ２に整列している構成である。端子部材２２は、一端側に、Ｙ２方向に突き出して整列しているピン状端子部２２ａを有する。端子部材２２の他端側はクランク状に曲がっており、表面実装が可能となっている。
【０００７】
カードホルダ部３０は、合成樹脂モールド部品であるカードホルダ部本体３１よりなる。カードホルダ部本体３１は、左右側のガイドレール３２，３３と、Ｙ１方向端側でガイドレール３２，３３間をつなぐ奥側側面板部３５と、Ｙ１方向端の近傍で、奥側側面板部３５とつながってガイドレール３２，３３の間をブリッジしている板状の横架板部３４とを有する。プラグ本体部２０は奥側側面板部３５とガイドレール３２，３３と横架板部３４とが形成する空間部に組み込んである。
【０００８】
カードイジェクト機構４０は、てこの原理を利用したものであり、Ｘ１側のガイドレール３３の外側面にＹ１方向にスライド可能に支持されているイジェクト操作レバー４１と、イジェクトレバー４２とよりなる構成である。イジェクトレバー４２は、レバー形状の金属板製の部品であり、一端に押し部４２ａ、他の端に折り曲げ部４２ｂを有し、押し部４２ａの近くに回動中心孔４２ｃを有する構成である。イジェクトレバー４２は、板状の横架板部３４の下面に突き出ている凸状の軸部３４ａに、回動中心孔４２ｃを嵌合させて、横架板部３４の下面に支持されており、折り曲げ部４２ｂがイジェクト操作レバー４１と係合してある。
【０００９】
ＣＦカード用コネクタ１０は、プラグ本体部２０の一部をプリント基板６０に固定され且つ端子部材２２の他端側をプリント基板６０上のパッドに半田付けされてプリント基板６０上に固定されて使用される。
【００１０】
タイプＩのＣＦカード５０は、挿入方向先端の面５１を有する。先端面５１は、Ｘ１側及びＸ２側に、面部分５２，５３を有し、面部分５２，５３の間にコネクタ部５４を有する。
【００１１】
このＣＦカード５０は、図２（Ａ）に示すように、カードホルダ部３０内に挿入されて、コネクタ部５４を端子部材２２のピン状端子部２２ａと接続されて、左右側をガイドレール３１、３２によって支持されて、装着してある。
【００１２】
装着してあるＣＦカード５０をイジェクトするときには、操作者は、指先でイジェクト操作レバー４１をＹ１方向に押す。この操作によって、図２（Ｃ）に示すように、カード押し出し回動部材４２が反時計に回動され、押し部４２ａが面部分５３をＹ２方向に押して、ＣＦカード５０はコネクタ部５４が端子２２から抜け出すまで移動される。この後に操作者は、ＣＦカード５０のＹ２方向端側を指先でつかんで引き出す。
【特許文献１】特開２００１−２９７８２４号公報
【発明の開示】
【発明が解決しようとする課題】
【００１３】
カード用コネクタ１０がプリント基板６０上に固定されている状態で、コンパクトフラッシュ（登録商標）カードを挿入する口側から見ると、奥部には、多数のピン端子２２がＹ２方向に突き出して整列している。よって、ＣＦカードを間違った向きで挿入した場合には、ＣＦカードがピン状端子部２２ａに当って、ピン状端子部２２ａを曲げてしまう虞れがあった。ピン状端子部２２ａが曲がってしまうと、ＣＦフラッシュカードの装着が出来なくなってしまう。
【００１４】
なお、特許第３２８５３２１号には、ＣＦカードをＰＣ−ＡＴＡフラッシュカードが装着されるカード用コネクタに装着する場合に使用されるＣＦカード接続用アダプタが記載してある。このＣＦカード接続用アダプタには、ピン端子を保護するシャッタ部材が設けてある。このＣＦカード接続用アダプタは、外形寸法がＰＣ−ＡＴＡフラッシュカードと同じであり、一端側に凹状に形成してありＣＦカードが装着されるＣＦカード装着部を有し、ＣＦカード装着部の奥に、多数のピン端子が並んでおり、且つ、ピン端子を保護するシャッタ部材を備えた構成である。
【００１５】
このカード接続用アダプタは、ＣＦカードをＣＦカード装着部に装着して、この状態で、カード接続用アダプタをＰＣ−ＡＴＡフラッシュカードと同じく、ＰＣ−ＡＴＡフラッシュカード用コネクタに挿入されて装着されるものである。ＣＦフラッシュカードは、その上面及び下面が共に露出した状態でＣＦカード装着部に装着してあり、操作者は、ＣＦカードを直接に掴んで引き出すことによって、ＣＦカードをＣＦカード装着部から取り外すことが可能となっている。ＣＦカードを直接に掴かむことが可能であるため、ＣＦカード接続用アダプタには、ＣＦカードイジェクト機構は設けられていない。
【００１６】
ＣＦカードイジェクト機構が設けられていないため、上記のシャッタ部材は、コンパクトフラッシュ（登録商標）カード装着部の端に位置しており、通常はピン端子を覆っており、コンパクトフラッシュ（登録商標）カードが装着されたときに押されて移動し、ピン端子を露出させるようになっており、コンパクトフラッシュ（登録商標）カードが外されるとばねの力で元の位置に戻されるようになっている構造である。
【００１７】
本発明は、コンパクトフラッシュ（登録商標）カードが差し込まれるピン状の端子を保護する機構を備えたコンパクトフラッシュ（登録商標）カード用のコネクタを提供することを目的とする。
【課題を解決するための手段】
【００１８】
上記課題を解決するため、本発明は、挿入方向の先端にコネクタ部を有するカードが挿入されるカード挿入口と、
奥部に横方向に並んでおり、一端側に、カード挿入口側に突き出して配列してあり、挿入されたカードのコネクタ部が接続される多数のピン状の端子部を有し、他端側に、実装用の端子部を有する多数の端子部材と、
両側に、挿入される上記カードの左右側を案内する一対のガイドレールと、
装着されているカードを取り出す際に操作されるイジェクト操作レバーと、
押し部を有し、該イジェクト操作レバーが操作されたときに回動されて、該押し部がカードを押し出すイジェクトレバーとを有する構成のカード用コネクタにおいて、
上記ピン状端子部を覆う第1の位置と、第1の位置より奥方の位置であり、ピン状端子部が露出した第２の位置との間で、カードが挿入される方向に移動可能に設けてあり、通常は第1の位置にあって、挿入されるカードによって押されて第２の位置へ移動されるシャッタ部材と、
上記第２の位置へ移動された該シャッタ部材を上記第1の位置へ押し戻すばね部材と、
各ガイドレールに組み込んであり、該シャッタ部材を上記第1の位置にロックしており、カードが正常に挿入された場合に、該挿入されたカードによって、ロックが解除されるシャッタ部材ロック機構とを有し、
上記イジェクト操作レバーの操作に応じて回動される上記イジェクトレバーの上記押し部が、上記シャッタ部材のうち挿入されるカードによって押される面とは反対側の面を上記カード挿入口の方向に押す構成としたものである。
【発明の効果】
【００１９】
本発明によれば、シャッタ部材を備えることによって、ピン状端子部が曲がらないように保護することが可能である。また、イジェクトレバーの押し部がシャッタ部材を押すことによって、カードイジェクトが円滑になされる。
【発明を実施するための最良の形態】
【００２０】
次に本発明の実施の形態について説明する。
【００２１】
図３及び図４（Ａ）乃至（Ｃ）は本発明の実施例になるＣＦカード用コネクタ１００を示す。図３は、ＣＦカード用コネクタ１００を分解して示すと共に、タイプＩのＣＦカード５０−Ｉ及びタイプIIのＣＦカード５０−IIと併せて示す。ＣＦカード用コネクタ１００は、タイプＩのＣＦカード５０−Ｉの他に、タイプIIのＣＦカード５０−IIも装着が可能である構成となっている。図５（Ａ）乃至（Ｃ）はＣＦカード５０−Ｉが挿入されて接続されて装着されている状態を示し、図６（Ａ）乃至（Ｃ）はＣＦカード５０−IIが挿入されて接続されて装着されている状態を示す。
【００２２】
図３及び図４（Ａ）乃至（Ｃ）に示すように、ＣＦカード用コネクタ１００は、本体組立体１１０とカバー組立体１６０とが、本体組立体１１０がカバー組立体１６０の内側に収まるように組み合わされている構成である。図４（Ａ）乃至（Ｃ）では、後述するイジェクト操作レバー１７１の操作部１７１ａが押された位置に位置している。
【００２３】
図７（Ａ）乃至（Ｄ）は本体組立体１１０を示す。本体組立体１１０は、図８に併せて示すように、フレーム部材１２０に、多数の端子部材１３０が固定され、更に、シャッタ部材１４０、ロック部材１５０Ｒ、１５０Ｌが組み付けられた構成である。
【００２４】
図１１（Ａ）乃至（Ｄ）はカバー組立体１６０を示す。カバー組立体１６０は、カバー部材１６１に、カードイジェクト機構１７０が取り付けてある構成である。
【００２５】
次に上記の各構成部分について説明する。
【００２６】
先ず、フレーム部材１２０について説明する。
【００２７】
フレーム部材１２０は、図８及び図９（Ａ）乃至（Ｆ）に示すように、左右のガイドレール部１２１Ｒ，１２１Ｌと、Ｙ１側でガイドレール部１２１Ｒ，１２１Ｌ間に横架している横架梁部１２２と、略中央でガイドレール部１２１Ｒ，１２１ＬのＺ２側の間をブリッジしている第1の横架板部１２３と、横架梁部１２２のＺ２側より張り出して且つガイドレール部１２１Ｒ，１２１ＬのＺ２側の間をブリッジしている第２の横架板部１２４とを有する。ガイドレール部１２１Ｒ，１２１Ｌの内側面には、ＣＦカード５０−Ｉ、５０−IIを案内するガイド部１２５Ｒ，１２５Ｌが形成してある。
【００２８】
図７（Ａ）乃至（Ｄ）に示すように、横架梁部１２２には、その貫通穴１２２ａに多数の端子部材１３０が圧入されて整列してある。端子部材１３０は、横架梁部１２２よりＹ２方向に突き出しているピン状端子部１３０ａと、横架梁部１２２よりＹ１方向に延在し且つクランク形状をなしている表面実装用端子部１３０ｂとを有する。ピン状端子部１３０ａはＸ１−Ｘ２方向に二列に並んでおり、表面実装用端子部１３０ｂはＸ１−Ｘ２方向に並んでいる。
【００２９】
図７（Ａ）、（Ｃ）に示すように、ロック部材１５０Ｒ、１５０Ｌは、金属線を曲げて形成してあってばね性を有するものであり、ガイドレール部１２１Ｒ，１２１Ｌの上面に取り付けてあり、先端のロック爪部１５０Ｒａ、１５０Ｌａが対向するように突き出しており、且つ、凸部１５０Ｒｂ、１５０Ｌｂが対向するように突き出している。
【００３０】
また、ガイドレール部１２１Ｒ，１２１Ｌの外側面には、半田付け用脚部材１５１Ｒ、１５２Ｒ、１５１Ｌ、１５２Ｌが取り付けてある。半田付け用脚部材１５２Ｒ、１５２Ｌは、アース接触片１５２Ｒａ、１５２Ｌａを有する。
【００３１】
なお、１２１Ｒａ，１２１Ｌａはガイドレール部１２１Ｒ，１２１Ｌのうち、横架梁部１２２よりもＹ１方向に延在している部分である。横架梁部１２２のＹ１側には、Ｘ１−Ｘ２方向に並んでいる表面実装用端子部１３０ｂの両側と、上記の延在部分１２１Ｒａ，１２１Ｌａとの間に、空間１５５Ｒ，１５５Ｌが形成してある。この空間１５５Ｒ，１５５Ｌがシャッタ部材１４０のスライドに利用される。
【００３２】
また、シャッタ部材１４０との関連で、横架梁部１２２には、シャッタ部材１４０と関連して、Ｘ１側の端の上面及び下面に、ガイド溝部１２２ｂ，１２２ｃが、Ｘ２側の端の上面及び下面に、ガイド溝部１２２ｄ，１２２ｅが、且つ、Ｙ２面のうち、Ｘ１端の近くに凹部１２２ｆが、Ｘ２端の近くに、凹部１２２ｇが形成してある。
【００３３】
次にシャッタ部材１４０について説明する。
【００３４】
シャッタ部材１４０は、図８及び図１０（Ａ）乃至（Ｆ）に示すように、角柱形状の本体部１４１と、本体部１４１のＸ１側の端よりＹ１方向に延在している一対の腕部１４２Ｒ、１４３Ｒと、本体部１４１のＸ２側の端よりＹ１方向に延在している一対の腕部１４２Ｌ、１４３Ｌとよりなる。
【００３５】
本体部１４１は、Ｙ２側の前面１４１ａ、Ｙ１側の背面１４１ｂ、Ｚ１側の上面１４１ｃ、Ｚ２側の下面１４１ｄを有する。本体部１４１には、多数の貫通穴１４１ｅがピン状端子部１３０ａに対応する配置で形成してある。各貫通穴１４１ｅは、ピン状端子部１３０ａと緩く嵌合する大きさである。
【００３６】
本体部１４１の前面１４１ａは、ＣＦカード５０−IIのＸ１−Ｘ２方向断面に対応する形状を有し、上面側に、左右端の部分を除いて、ＣＦカード５０−IIの盛り上がり部５０ａに対応する偏平の凸部１４１ｆを有する。偏平凸部１４１ｆは、本体部１４１の左右端の部分から、寸法ａだけＺ１方向に突き出している。
【００３７】
また、本体部１４１は、偏平凸部１４１ｆのうちＸ２端の近くに、後述するイジェクトレバー１７２の押し部１７２ａが嵌合する凹部１４１ｇを有する。凹部１４１ｇは、上面１４１ｃと背面１４１ｂとが形成する角の部分に、上面１４１ｃ及び背面１４１ｂより凹ませて形成してある。ここで、凹部１４１ｇは押し部１７２ａが安定に押すことが可能であるように、Ｚ１−Ｚ２の深さ方向については所定の寸法ｂを必要とする。凹部１４１ｇは偏平凸部１４１ｆの上面１４１ｃから凹ませて形成してあり、偏平凸部１４１ｆの高さa分だけ余裕があり、図１０（Ｄ）に示すように、所定の寸法ｂを有する凹部１４１ｇが貫通穴１４１ｅ及び後述する凸部１４１ｉと干渉しないで形成してある。
【００３８】
ここで、本体部１４１の背面１４１ｂに凹部１４１ｇを形成し、ここにイジェクトレバー１７２の押し部１７２ａが嵌合している構成であるため、イジェクトレバー１７２の押し部１７２ａが本体部１４１の背面１４１ｂを押す場合に比較して、ＣＦカード用コネクタ１００のＹ１−Ｙ２方向の寸法ＬＹは短くなっている。
【００３９】
また、本体部１４１の背面１４１ｂには、多数の貫通穴１４１ｅの左右側の位置に、Ｙ１方向に突き出した凸部１４１ｈ，１４１ｉが形成してある。
【００４０】
また、本体部１４１の上面１４１ｃのＸ１端及びＸ２端には、凹部１４１ｊ，１４１ｋが形成してある。
【００４１】
上記一対の腕部１４２Ｒ、１４３Ｒは上記ガイド溝部１２２ｂ，１２２ｃと対応して、一対の腕部１４２Ｌ、１４３Ｌは上記ガイド溝部１２２ｄ，１２２ｅと対応しており、先端にストッパとしてのフック部１４２Ｒａ、１４３Ｒａ、１４２Ｌａ、１４３Ｌａを有する。
【００４２】
このシャッタ部材１４０は、図７（Ａ）、（Ｂ）、（Ｄ）に示すように、第２の横架板部１２４に載っており、貫通穴１４１ｅがピン状端子部１３０ａと緩く嵌合し、腕部１４２Ｒ、１４３Ｒが夫々ガイド溝部１２２ｂ，１２２ｃと嵌合し、腕部１４２Ｌ、１４３Ｌは上記ガイド溝部１２２ｄ，１２２ｅと嵌合して横架梁部１２２を挟んだ状態で、フレーム部材１２０に取り付けてあり、Ｙ１−Ｙ２方向にスライド可能である。また、本体部１４１と横架梁部１２２との間には、Ｘ１側とＸ２側とに、圧縮コイルばね１４５Ｒ，１４５Ｌが、一端を凹部１２２ｆ、１２２ｇに嵌合させ、他端を凸部１４１ｈ，１４１ｉに嵌合させて設けてある。シャッタ部材１４０は、圧縮コイルばね１４５Ｒ，１４５Ｌのばね力によってＹ２方向に付勢されている。
【００４３】
次に、カバー部材１６１について説明する。
【００４４】
カバー部材１６１は、図１１（Ａ）乃至（Ｄ）に示すように、天板部１６２と、Ｘ１側の側板部１６３と、Ｘ２側の側板部１６４と、Ｙ１側の板部１６５とを有する。天板部１６２の下面には、図１１（Ｂ）に示すように、ＣＦカード５０−IIの盛り上がり部５０ａに対応する偏平の凹部１６２ａが形成してある。
【００４５】
次に、カードイジェクト機構１７０について説明する。
【００４６】
カードイジェクト機構１７０は、図１１（Ａ）乃至（Ｄ）に示すように、カバー部材１６１の側板部１６３の外側面にＹ１−Ｙ２方向にスライド可能に設けてあるイジェクト操作レバー１７１と、カバー部材１６１の天板部１６２の下面のうちＹ１側の部分に設けてあるイジェクトレバー１７２とよりなる構成である。イジェクト操作レバー１７１は、Ｙ２端に操作部１７１ａを有する。イジェクトレバー１７２は、金属板部品であり、天板部１６２の下面の凸部１６２ｂに回転可能に支持されており、天板部１６２の下面に沿って回動する。イジェクトレバー１７２の一端の折り曲げ部１７２ａがイジェクトレバー１７２の先端と嵌合してある。イジェクトレバー１７２の他端部１７２ｂは、カバー部材１６１の開口に突き出しており、側板部１６４の上端に支持されている。また、イジェクトレバー１７２には、押し部１７２ｃが形成してある。
【００４７】
本体組立体１１０とカバー組立体１６０とが組み合わされると、カバー部材１６１の天板部１６２の下面がシャッタ部材１４０の本体部１４１の偏平凸部１４１ｆの上面１４１ｃに対向する。
【００４８】
上記の各部品が組合わされて図３及び図４（Ａ）乃至（Ｃ）に示すＣＦカード用コネクタ１００が完成する。１０１はＣＦカードが挿入口であり、ＣＦカード５０−Ｉに限らず、ＣＦカード５０−IIも挿入可能である形状を有する。
【００４９】
このＣＦカード用コネクタ１００は、半田付け用脚部材１５１Ｒ、１５２Ｒ、１５１Ｌ、１５２Ｌを半田付けされ、且つねじ止めされてプリント基板上に実装され、電子機器内に組み込まれる。ＣＦカードが挿入口１０１が電子機器のスロットに対向している。
【００５０】
ＣＦカードが挿入されていない状態では、シャッタ部材１４０は、図４（Ａ）及び図７（Ａ）に示すように、第１の位置Ｐ１に位置している。第１の位置Ｐ１はフック部１４２Ｒａ〜１４３Ｌａが横架梁部１２２に係止されている位置である。ロック爪部１５０Ｒａ、１５０Ｌａが夫々凹部１４１ｊ，１４１ｋに係合しており、シャッタ部材１４０は第１の位置Ｐ１にロックされている。シャッタ部材１４０は、図７（Ｄ）に示すように、ピン状端子部１３０ａの先端が貫通穴１４１ｅの途中に位置する状態にあり、全部のピン状端子部１３０ａは外力を受けないように保護されており、無用に曲げられることは起きない。
【００５１】
ＣＦカード５０−Ｉを使用する場合には、その面５１を先頭にして挿入口１０１を通ってＹ１方向に挿入し、左右側をガイド部１２５Ｒ，１２５Ｌに案内させつつ、ＣＦカード用コネクタ１００内に完全に収まる状態まで後端部を強く押し込む操作を行う。
【００５２】
挿入途中のＣＦカード５０−Ｉの左右側面が凸部１５０Ｒｂ、１５０Ｌｂを左右側に押し退ける。これにより、ロック爪部１５０Ｒａ、１５０Ｌａが夫々凹部１４１ｊ，１４１ｋから抜け出してシャッタ部材１４０のロックが解除される。ＣＦカード５０−Ｉが更に挿入されると、シャッタ部材１４０がＣＦカード５０−Ｉによって直接に押されて、圧縮コイルばね１４５Ｒ，１４５Ｌを圧縮させつつＹ１方向に移動され、ピン状端子部１３０ａの先端が貫通穴１４１ｅから抜け出して、続いて、コネクタ部５４がピン状端子部１３０ａの先端と嵌合して、図５（Ａ）乃至（Ｃ）に示すように、ＣＦカード５０−ＩがＣＦカード用コネクタ１００と電気的に接続されると共にＣＦカード用コネクタ１００に装着される。
【００５３】
シャッタ部材１４０は第２の位置Ｐ２に移動している。腕部１４２Ｒ、１４３Ｒは空間１５５Ｒ内に収まっており、腕部１４２Ｌ、１４３Ｌは空間１５５Ｌ内に収まっており、板部１６５よりＹ１方向に突き出してはいない。また、凹部１４１ｇが押し部１７２ｃと嵌合している。
【００５４】
ＣＦカード用コネクタ１００に装着されているＣＦカード５０−Ｉを取り出すには、指先で操作部１７１ａを押し込む。この操作によって、イジェクトレバー１７２が反時計方向に回動され、押し部１７２ｃが凹部１４１ｇをＹ２方向に押して、シャッタ部材１４０がＣＦカード５０−Ｉと共にＹ２方向に移動さる。ＣＦカード５０−Ｉはコネクタ部５４がピン状端子部１３０ａから抜け出すまで移動される。この後に操作者は、ＣＦカード５０−ＩのＹ２方向端側を指先でつかんで引き出す。シャッタ部材１４０は元の第１の位置Ｐ１にロックされる。
【００５５】
なお、シャッタ部材１４０がＹ１方向に移動されるとき、腕部１４２Ｒ、１４３Ｒ，１４２Ｌ、１４３Ｌは空間１５５Ｒ，１５５Ｌ内に突き出すだけであり、ＣＦカード用コネクタ１００の外側には突き出さない。よって、ＣＦカード用コネクタ１００はその後ろ側に配置してある部品と干渉せず、ＣＦカード用コネクタ１００をプリント基板６０に実装する場合に、他の部品と接近して配置することが可能である。
【００５６】
ＣＦカード５０−IIを使用する場合にも、前記のＣＦカード５０−Ｉの場合と同様に操作して、図６（Ａ）乃至（Ｃ）に示すように、ＣＦカード用コネクタ１００と電気的に接続されると共にＣＦカード用コネクタ１００に装着される。同じく、指先で操作部１７１ａを押し込む操作によって、前記のＣＦカード５０−Ｉの場合と同様にして、ＣＦカード５０−IIは取り出される。
【００５７】
なお、本発明は、タイプＩとタイプIIとを有するＣＦカードに限らず、平面形状が同じで、中央部分の厚さが相違する、種類が複数の別の種類のメモリーカードにも適用が可能である。
【図面の簡単な説明】
【００５８】
【図１】従来のＣＦカード用コネクタの１例を分解して示す斜視図である。
【図２】図１のＣＦカード用コネクタのＣＦカードイジェクト動作を説明する図である。
【図３】本発明の実施例１になるＣＦカード用コネクタを二種類のＣＦカードと対応させて示す斜視図である。
【図４】図３のＣＦカード用コネクタを示す正投象図である。
【図５】タイプＩのＣＦカードが接続されている状態を示す図である。
【図６】タイプIIのＣＦカードが接続されている状態を示す図である。
【図７】本体組立体の正投象図である。
【図８】フレーム部材とシャッタ部材とを対応させて示す斜視図である。
【図９】フレーム部材の正投象図である。
【図１０】シャッタ部材の正投象図である。
【図１１】カバー組立体の正投象図である。
【符号の説明】
【００５９】
５０−Ｉ  タイプＩのＣＦカード
５０−II  タイプIIのＣＦカード
１００  ＣＦカード用コネクタ
１１０  本体組立体
１２０  フレーム部材
１２１Ｒ，１２１Ｌ  ガイドレール部
１２２  横架梁部
１３０  端子部材
１３０ａ  ピン状端子部
１６０  カバー組立体
１４０  シャッタ部材
１４１  本体部
１４１ｅ  貫通穴
１４１ｆ  偏平の凸部
１４２Ｒ、１４３Ｒ，１４２Ｌ、１４３Ｌ  腕部
１５０Ｒ、１５０Ｌ  ロック部材
１５５Ｒ，１５５Ｌ  空間
１６０  カバー組立体
１６１  カバー部材
１７０  カードイジェクト機構
１７１  イジェクト操作レバー
１７１ａ  操作部
１７２  イジェクトレバー
１７２ａ  押し部
【図１】
2005285687.tif 000003
【図２】
2005285687.tif 000004
【図３】
2005285687.tif 000005
【図４】
2005285687.tif 000006
【図５】
2005285687.tif 000007
【図６】
2005285687.tif 000008
【図７】
2005285687.tif 000009
【図８】
2005285687.tif 000010
【図９】
2005285687.tif 000011
【図１０】
2005285687.tif 000012
【図１１】
2005285687.tif 000013